(57)【要約】【課題】  操作上の利便性を損うことなく、従来からの省電力化に加え、表示部の節電の機会を新たに増やすことができる画像処理装置及びその制御方法を提供する。【解決手段】  画像処理装置１０１は、各種操作を行うためのタッチパネル２１４等と、それによる操作内容を表示可能なＬＣＤ２１８を備える。そして、本体からの操作の有無、及び、外部機器１０２による遠隔操作の有無を検知する。その結果、外部機器からの遠隔操作を検知した場合であって、本体からの操作が一定時間以上ない場合に、ＬＣＤ２１８を節電モードに移行する。【選択図】  図２
2007159057.tif 000002
【特許請求の範囲】
【請求項１】
画像処理装置の各種操作を行うための操作手段と、
前記操作手段による操作内容を表示可能な表示手段と、
外部機器からの遠隔操作を受け付ける外部操作入力手段と、
前記操作手段による操作の有無を検知する第１の検知手段と、
前記外部操作入力手段を介して前記外部機器による遠隔操作の有無を検知する第２の検知手段と、
前記第２の検知手段により前記外部機器からの遠隔操作を検知した場合であって、前記第１の検知手段よる検知が一定時間以上ない場合に、前記表示手段を節電モードに移行させる制御手段と
を備えることを特徴とする画像処理装置。
【請求項２】
前記制御手段が、前記表示手段への電源の通電を遮断することによって該表示手段を節電モードに移行させることを特徴とする請求項１に記載の画像処理装置。
【請求項３】
前記外部操作入力手段は、前記外部機器の利用者によるログインの有無を判定し、
前記利用者のログインが受け付けられていない場合には前記外部機器に対してログインページを送信することを特徴とする請求項１又は２に記載の画像処理装置。
【請求項４】
前記第１の検出手段により一定時間内に前記操作手段による操作が検出されなかった場合に、前記画像処理装置で行われた過去の操作内容を破棄して標準の待機状態に復帰する自動復帰手段をさらに備えることを特徴とする請求項１から３までのいずれか１項に記載の画像処理装置。
【請求項５】
前記自動復帰手段により標準の待機状態に自動復帰した復帰時刻を記憶する復帰時刻記憶手段と、
前記操作手段による最新の操作時刻を記憶する操作時刻記憶手段とをさらに備え、
前記第１の検知手段が、前記操作時刻記憶手段が記憶する操作時刻と前記復帰時刻記憶手段が記憶する復帰時刻とを比較し、該操作時刻が該復帰時刻よりも新しい時刻の場合は前記操作手段による操作があったと検知し、前記操作時刻が前記復帰時刻よりも古い時刻の場合は前記操作手段による操作がないと検知する
ことを特徴とする請求項４に記載の画像処理装置。
【請求項６】
前記画像処理装置の表示手段の状態を前記外部機器からの遠隔操作に基づく状態から標準の待機状態に切り換える切換手段をさらに備え、
前記制御手段は、前記切換手段による切り換え時に前記表示手段が節電モードの場合は、該表示手段を通常モードに移行する
ことを特徴とする請求項１に記載の画像処理装置。
【請求項７】
前記制御手段が、前記表示手段へ電源を投入することによって該表示手段を節電モードから通常モードに移行させることを特徴とする請求項６に記載の画像処理装置。
【請求項８】
前記表示手段が、前記外部機器からの遠隔操作により成された設定によるプレビュー画像を表示可能であって、
前記制御手段は、前記表示手段が前記プレビュー画像を表示しようとする際に該表示手段が節電モードの場合は該表示手段を通常モードに移行する
ことを特徴とする請求項１に記載の画像処理装置。
【請求項９】
前記外部操作入力手段が、ネットワークを介して接続された前記外部機器からの遠隔操作を受け付けることを特徴とする請求項１から８までのいずれか１項に記載の画像処理装置。
【請求項１０】
前記外部操作入力手段が、近距離無線通信によって前記外部機器からの遠隔操作を受け付けることを特徴とする請求項１から８までのいずれか１項に記載の画像処理装置。
【請求項１１】
前記外部操作入力手段が、ネットワークを介して接続された前記外部機器からの遠隔操作を受け付ける第１の入力手段と、近距離無線通信によって前記外部機器からの遠隔操作を受け付ける第２の入力手段とを備え、
前記制御手段は、前記第１の入力手段を用いて前記外部機器からの遠隔操作を受け付けている間に前記第２の入力手段による遠隔操作が確立可能となった場合であって、かつ、前記表示手段が節電モードの場合に、該表示手段を通常モードに移行させることを特徴とする請求項１に記載の画像処理装置。
【請求項１２】
前記制御手段が、前記外部操作入力手段による遠隔操作の受け付けが終了した時に、前記表示手段が節電モードに移行している場合に、該表示手段を通常モードに移行させることを特徴とする請求項１に記載の画像処理装置。
【請求項１３】
前記外部操作入力手段によって前記外部機器からの遠隔操作を検知した際に前記表示手段が節電モードに移行していることを示す状態表示手段をさらに備えることを特徴とする請求項１に記載の画像処理装置。
【請求項１４】
前記状態表示手段が、ＬＥＤによる異なる色の点灯によって状態を表示することを特徴とする請求項１３に記載の画像処理装置。
【請求項１５】
画像処理装置の各種操作を行うための操作手段と、
前記操作手段による操作内容を表示可能な表示手段と、
外部機器からの前記画像処理装置への遠隔操作を受け付ける外部操作入力手段と、
前記操作手段による操作の有無を検知する第１の検知手段と、
前記外部操作入力手段を介して前記外部機器による遠隔操作の有無を検知する第２の検知手段と、
前記第２の検知手段により前記外部機器からの遠隔操作を検知した場合であって、前記第１の検知手段よる検知が一定時間以上ない場合に、前記表示手段を節電モードに移行させる制御手段と
を備えることを特徴とする情報処理装置。
【請求項１６】
画像処理装置の制御方法であって、
画像処理装置の各種操作を行うための操作工程と、
前記操作手段による操作内容を表示画面に表示可能な表示工程と、
外部機器からの遠隔操作を受け付ける外部操作入力工程と、
前記操作手段による操作の有無を検知する第１の検知工程と、
前記外部操作入力工程を介して前記外部機器による遠隔操作の有無を検知する第２の検知工程と、
前記第２の検知工程により前記外部機器からの遠隔操作を検知した場合であって、前記第１の検知工程よる検知が一定時間以上ない場合に、前記表示画面を節電モードに移行させる制御工程と
を有することを特徴とする制御方法。
【請求項１７】
コンピュータに、
画像処理装置の各種操作を行うための操作手順と、
前記操作手順による操作内容を表示画面に表示可能な表示手順と、
外部機器からの前記画像処理装置への遠隔操作を受け付ける外部操作入力手順と、
前記操作手順による操作の有無を検知する第１の検知手順と、
前記外部操作入力手順を介して前記外部機器による遠隔操作の有無を検知する第２の検知手順と、
前記第２の検知手順により前記外部機器からの遠隔操作を検知した場合であって、前記第１の検知手順よる検知が一定時間以上ない場合に、前記表示画面を節電モードに移行させる制御手順と
を実行させるためのプログラム。
【発明の詳細な説明】
【技術分野】
【０００１】
本発明は、外部機器により遠隔操作可能な画像処理装置及びその制御方法並びにプログラムに関する。
【背景技術】
【０００２】
近年、環境保護の重要性がますます強く認識されている。中でも地球温暖化への対策は急務であり、国際的な取組みとして京都議定書が発行されたように、国を挙げての温暖化ガス削減運動が展開されており、公官庁や企業のオフィスにおいてもさまざまな取り組みがなされている。一例として、使用していない機器についてこまめに電源を落としたり、休業時間中はディスプレイや照明の電源を落としたりする等、地道な活動もなされている。
【０００３】
一般的なオフィスには、プリンタやディジタル複写機といった、画像処理装置が数多く設置されている。これらの画像処理装置は、物理的に低電力化を目指した設計が成されているほか、一定時間の使用がない場合には待機状態に移行して省電力（節電）を図るスリープ機能等があり、低電力化への配慮が多々成されている。
【０００４】
また、これらの画像処理装置は、文書の印刷やコピーはもとより、ＦＡＸやｅ−ｍａｉｌによる送信等、さまざまな機能を有している。さらに、これらの画像処理装置には、ステイプル、パンチ穴開け、折り、製本とじ等のフィニッシング機能を搭載したフィニッシャを接続することができる。そして、それらのフィニッシングの設定や両面等の画像の割り付け等を画像の保存と同時にジョブ属性としてメモリに保存しておき、画像の入力とは非同期にこれらジョブ情報に基づきプリント出力するボックス機能を有するものも存在する。このような機能は、同じ文書を定期的にコピーしたい場合等に便利である。
【０００５】
これとは別に、これらの画像処理装置には、遠隔操作機能を有するものも存在する。例えば、外出先等、画像処理装置本体から離れた場所にいるユーザが、携帯電話やＰＤＡ（Ｐｓｅｒｓｏｎａｌ  Ｄｉｇｉｔａｌ  Ａｓｓｉｓｔａｎｔｓ）等の携帯機器から遠隔操作し、文書の印刷や送信等を実行することができる（例えば、特許文献１参照。）。また、バリアフリー等の目的のため、固定式操作部とは別に着脱式の遠隔操作部を設けたり、ネットワークを介して接続されたＰＣからＶＮＣ（Ｖｅｒｔｕａｌ  Ｎｅｔｗｏｒｋ  Ｃｏｍｐｕｔｉｎｇ）により遠隔操作を行うことが可能である。
【０００６】
このように、昨今の画像処理装置は、環境保護への配慮がなされると共に、他の機器からの遠隔操作を含むさまざまな機能を有しており、その利便性はますます向上している。
【特許文献１】特開２００２−１９９１１８号公報
【発明の開示】
【発明が解決しようとする課題】
【０００７】
しかしながら、上述したような画像処理装置は、遠隔操作が行われている最中であって、本体操作部からの操作が行われないような場合であっても、その表示部は点灯している場合が多い。このことは、上述したような近年の環境保護運動の中にあっては好ましくない。しかも、表示部の大型化がますます促進されており、こうした状況下においては、不必要な表示動作による電力の消費は見過ごせない課題である。
【０００８】
本発明は、このような事情を考慮してなされたものであり、操作上の利便性を損うことなく、従来からの省電力化に加え、表示部の節電の機会を新たに増やすことができる画像処理装置及びその制御方法を提供することを目的とする。
【課題を解決するための手段】
【０００９】
上記課題を解決するために、本発明に係る画像処理装置は、
画像処理装置の各種操作を行うための操作手段と、
前記操作手段による操作内容を表示可能な表示手段と、
外部機器からの遠隔操作を受け付ける外部操作入力手段と、
前記操作手段による操作の有無を検知する第１の検知手段と、
前記外部操作入力手段を介して前記外部機器による遠隔操作の有無を検知する第２の検知手段と、
前記第２の検知手段により前記外部機器からの遠隔操作を検知した場合であって、前記第１の検知手段よる検知が一定時間以上ない場合に、前記表示手段を節電モードに移行させる制御手段と
を備えることを特徴とする。
【００１０】
また、上記課題を解決するために、本発明は、画像処理装置の制御方法であって、
画像処理装置の各種操作を行うための操作工程と、
前記操作手段による操作内容を表示画面に表示可能な表示工程と、
外部機器からの遠隔操作を受け付ける外部操作入力工程と、
前記操作手段による操作の有無を検知する第１の検知工程と、
前記外部操作入力工程を介して前記外部機器による遠隔操作の有無を検知する第２の検知工程と、
前記第２の検知工程により前記外部機器からの遠隔操作を検知した場合であって、前記第１の検知工程よる検知が一定時間以上ない場合に、前記表示画面を節電モードに移行させる制御工程と
を有することを特徴とする。
【００１１】
さらに、上記課題を解決するために、本発明に係るプログラムは、
コンピュータに、
画像処理装置の各種操作を行うための操作手順と、
前記操作手順による操作内容を表示画面に表示可能な表示手順と、
外部機器からの前記画像処理装置への遠隔操作を受け付ける外部操作入力手順と、
前記操作手順による操作の有無を検知する第１の検知手順と、
前記外部操作入力手順を介して前記外部機器による遠隔操作の有無を検知する第２の検知手順と、
前記第２の検知手順により前記外部機器からの遠隔操作を検知した場合であって、前記第１の検知手順よる検知が一定時間以上ない場合に、前記表示画面を節電モードに移行させる制御手順と
を実行させることを特徴とする。
【発明の効果】
【００１２】
本発明によれば、操作上の利便性を損うことなく、従来からの省電力化に加え、表示部の節電の機会を新たに増やすことができる。
【発明を実施するための最良の形態】
【００１３】
以下、図面を参照して、本発明の一実施形態に係る画像処理装置について詳細に説明する。
【００１４】
＜実施例１＞
図１は、本発明の実施例１に係る画像処理装置１０１と外部機器とを含む画像処理システム全体構成を示す概要図である。本実施例では、外部機器として携帯電話１０２を用いて説明しているが、ＰＤＡやノートＰＣ等の携帯機器や、デスクトップＰＣ等の備え付けの機器等でも良い。画像処理装置１０１は、ＬＡＮ等のネットワーク１０３に接続されている。本実施例では、ネットワークをＬＡＮとして説明する。また、携帯電話１０２は、無線ＬＡＮのアクセスポイント１０４を介してＬＡＮ１０３に接続し、画像処理装置１０１と通信する。
【００１５】
図２は、本発明の実施例１に係る画像処理装置１０１のシステム構成を示すブロック図である。図２において、ＣＰＵ２０１は、この画像処理システム全体を制御するためのコントローラである。ＣＰＵ２０１は、データバス２０２等のバスによって各部と接続されている。
【００１６】
ＲＡＭ２０３は、ＣＰＵ２０１が動作するために必要なプログラムやデータ等を保存するための作業用のメモリである。プリンタ制御部２０４は、プリンタデバイス２０５を制御して、画像データを紙等に印字させる。プリンタデバイス２０５は、画像データを用紙上に画像として印字するものである。尚、感光体ドラムや感光体ベルト等を用いた電子写真印刷方式や、微小ノズルアレイからインクを吐出して用紙上に直接画像を印印字するインクジェット方式等があるが、どの方式でもかまわない。
【００１７】
スキャナ制御部２０６は、スキャナデバイス２０７を制御して、画像データを取得する。スキャナデバイス２０７は、ＣＣＤ等の光学読取装置を用いて、紙等の原稿上の走査を行い、原稿の画像情報を電気信号データに変換する。ネットワーク制御部２０８は、ＬＡＮや電話回線等のネットワークに対して、他の画像処理装置や他の機器との間で、画像や入力値等の各種データを送信あるいは受信するための制御を行う。
【００１８】
Ｗｅｂサーバ制御部２０９は、画像処理装置１０１に具備されたＷｅｂサーバであり、画像処理装置１０１の遠隔操作用ウェブページを提供する。ネットワーク制御部２０８を介して外部からページ要求を受けると、要求されたページについて、ストレージ制御部２１０を介してストレージ２１１に保存されているＨＴＭＬデータや画像データを読み出し、応答として送信する。
【００１９】
ストレージ制御部２１０は、記憶デバイスであるストレージ部２１１を制御し、ストレージ部２１１にさまざまなデータを保存したり、保存したデータを取得する。ストレージ部２１１は、ＨＤＤ等の読み出しと書き込みが可能な不揮発メモリで構成される。ここには、このシステム全体を制御するためのプログラムや設定データ、Ｗｅｂサーバ制御部が外部に配信するＨＴＭＬデータや画像データ（ＧＩＦやＪＰＥＧ等）、さらにはスキャンされた画像データ等が保存される。また画像処理装置１０１は、ユーザ管理機能を有しており、ユーザＩＤや対応するパスワードを含むユーザ情報もストレージ部２１１に保存されている。
【００２０】
入力制御部２１２は、タッチパネル２１４やハードキー群２１３から、ユーザの操作指示を入力する。表示制御部２１５は、ＬＣＤ２１８やＬＣＤバックライト２１７、ＬＥＤ２１６を制御して、操作画面をユーザに対して表示させる。ハードキー群２１３、タッチパネル２１４、ＬＣＤ２１８、ＬＣＤバックライト２１７、ＬＥＤ２１６により操作パネル２１９が構成される。
【００２１】
図３は、画像処理装置１０１の操作部である操作パネル２１９の構成を示す概観図である。キー３０１は節電キーであり、画像処理装置１０１が通常状態である場合に押下すると通常状態よりも消費電力が少ない節電状態へ移行する。また、節電状態時に節電キー３０１を押下することで、画像処理装置１０１を通常状態に移行させる。節電キー３０１は、内部にＬＥＤ２１６が組み込まれており、画像処理装置１０１が節電状態である場合には緑色に点灯する。３０２は、ＬＣＤ２１８とタッチパネル２１４により構成される部分であり、タッチパネル２１４はＬＣＤ２１８にソフトキーを表示可能なように貼り付けられている。
【００２２】
図４は、携帯電話１０２よりＬＡＮ１０３を介して画像処理装置１０１にアクセスし、Ｗｅｂサーバ制御部２０９が提供する遠隔操作用ウェブページから画像処理装置１０１の遠隔操作を行う際の携帯電話１０２の表示画面例を示す図である。また、図５、図６、図７及び図８も同様である。以下では、これらの図を参照しつつ、本実施形態の特徴を成すユーザ操作について説明する。ここでは、操作内容として、画像処理装置１０１のボックス内に格納されている画像データをプリントする操作（ボックスプリント）を例に説明する。
【００２３】
携帯電話１０２において、画像処理装置１０１の遠隔操作用ウェブページのＵＲＬを入力すると、ログインページ（図４）が表示される。ここでは、遠隔操作を行うために画像処理装置１０１にログインする。但し、既に他のユーザが遠隔操作或いは本体操作によりログインしている場合には、使用中ページ（図５）の画面が表示される。この場合、他のユーザによる操作が終了するまで、以降の操作は不可能となる。
【００２４】
ログインページ（図４）の画面では、ユーザＩＤテキストフィールド４０１及びパスワードテキストフィールド４０２に、ユーザＩＤ及びパスワードを入力し、ＯＫボタン４０３を押下する。
【００２５】
正しいユーザＩＤとパスワードが入力されるとログインが成功し、メニューページ（図６）が表示される。ユーザＩＤやパスワードが間違ったものである場合には、再度ログインページ（図４）と同様な画面（不図示である）が表示される。そして、入力が正しいものではない旨のメッセージが表示される。
【００２６】
メニューページ（図６）では、遠隔操作を行うことが可能な機能の一覧が表示されている。ボックスプリントを行う場合には、ボックスプリントリンク６０１を選択する。ログオフボタン６０２を押下するとログオフし、遠隔操作を終了する。
【００２７】
次に、ボックスプリントページ（図７）が表示される。ここでは、プリントする文書の選択や部数、用紙サイズ、白黒／カラー選択、倍率等のプリントモード設定を行う。スタートボタン７０１を押下すると、設定内容が画像処理装置１０１に一括で送信されプリントジョブが起動され、ジョブ受付ページ（図８）が表示される。ジョブ受付ページで、続けて操作リンク８０１が選択されると、再度ボックスプリントページ（図７）が表示される。そして、メニューリンク８０２が選択されるとメニューページ（図６）が表示され、ログオフボタン８０３が押下されるとログオフがなされ遠隔操作を終了する。
【００２８】
尚、ユーザの利便性向上のためには、遠隔操作用ウェブページのＵＲＬが携帯電話１０２の「お気に入り」（ブックマーク）に登録されていることが好ましい。
【００２９】
次に、上述したユーザ操作を例に、画像処理装置１０１の処理手順について図を参照しながら説明する。図９は、携帯電話１０２より画像処理装置１０１のＷｅｂサーバ制御部２０９を介して画像処理装置１０１の遠隔操作を行った場合の処理手順を説明するためのフローチャートである。
【００３０】
まず、ユーザは、携帯電話１０２で画像処理装置１０１の遠隔操作用ウェブページのＵＲＬ入力し、携帯電話１０２は無線ＬＡＮアクセスポイント１０４及びＬＡＮ１０３を経由し画像処理装置１０１にアクセスする（ステップＳ８０１）。携帯電話１０２からのアクセス要求を受信すると、画像処理装置１０１は、他のユーザによる使用有無を確認する（ステップＳ８０２）。これは、ＲＡＭ２０３から本体操作ユーザＩＤと遠隔操作ユーザＩＤを読み出し、いずれかに他のユーザのユーザＩＤが記憶されているか否かを調べることで実施する。本体操作ユーザＩＤ及び遠隔操作ユーザＩＤは、本体操作パネル及び遠隔操作によりログインしたユーザのユーザＩＤをＲＡＭ２０３に記憶しているものである。
【００３１】
ステップＳ８０２で他のユーザによるログインがある場合（Ｙｅｓ）、画像処理装置１０１は、ストレージ制御部２１０を介してストレージ２１１より使用中ページ（図５）のデータを読み出し、携帯電話１０２へ送信する（ステップＳ８０３）。そして、携帯電話１０２は、これを受信し表示し（ステップＳ８０４）、遠隔操作を終了する。
Ｓ８０２で他のユーザによるログインがないならば（Ｎｏ）、画像処理装置１０１はストレージ制御部２１０を介しストレージ２１１よりログインページ（図４）のデータを読み出し、携帯電話１０２へ送信する（ステップＳ８０５）。携帯電話１０２は、これを受信して表示する（ステップＳ８０６）。
【００３２】
ユーザによりユーザＩＤとパスワードが入力されログインが指示されると、携帯電話１０２は、ユーザＩＤとパスワードを画像処理装置１０１に送信する（ステップＳ８０７）。
【００３３】
画像処理装置１０１は、ログイン処理として、ストレージ制御部２１０を介しストレージ２１１より受信したユーザＩＤに該当するパスワードを読み出して、受信したパスワードと比較する（ステップＳ８０８）。ストレージ２１１に受信したユーザＩＤと同値のユーザＩＤが記憶されていなかったり、ストレージより読み出したパスワードと受信したパスワードが一致しなかった場合にはログインエラーであるとしてステップＳ８０５に遷移する。そして、再度ユーザＩＤとパスワードの入力を促す。
【００３４】
ステップＳ８０８で、受信したユーザＩＤがストレージ２１１に記憶されており、かつ、ストレージから読み出したパスワードと受信したパスワードが一致していた場合（Ｙｅｓ）は、再度ステップＳ８０２と同様の確認を行う（ステップＳ８０９）。これは、ステップＳ８０５〜ステップＳ８０８の間に他のユーザがログインしている可能性があるためである。
【００３５】
ステップＳ８０９で他のユーザによるログインがある場合（Ｙｅｓ）は、ステップＳ８０３に遷移する。一方、ステップＳ８０９で他のユーザによるログインがない場合（Ｎｏ）は、受信したユーザＩＤをＲＡＭ２０３に遠隔操作ユーザＩＤとして記憶しログイン処理を成す（ステップＳ８１０）。
【００３６】
次に、画像処理装置１０１は、ステップＳ８０９で他のユーザによるログイン、つまり本体操作パネル２１９からのログインが無いことを確認している。そこで、表示制御部２１５を介してＬＥＤバックライト２１７を消灯し、消費電力の低減を図る（ステップＳ８１１）。
【００３７】
また、画像処理装置１０１は、ストレージ制御部２１０を介してストレージ２１１よりメニューページ（図６）のデータを読み出し、携帯電話１０２へ送信する（ステップＳ８１２）。携帯電話１０２は、これを受信して表示する（ステップＳ８１３）。
【００３８】
ユーザによりボックスプリントリンク６０１が選択されると、画像処理装置１０１は、ストレージ制御部２１０を介してストレージ２１１よりボックスプリントページ（図７）のデータを読み出し、携帯電話１０２へ送信する（ステップＳ８１４）。携帯電話１０２は、これを受信して表示する（ステップＳ８１５）。
【００３９】
ユーザによりプリントモードの設定とスタート指示がされると、携帯電話１０２は、モード設定値を一括で送信し、同時にスタート指示を表すフラグであるスタート指示フラグを送信する（ステップＳ８１６）。画像処理装置１０１は、スタート指示フラグの受信をもって、ジョブの受け付けとし（ステップＳ８１７）、受信したモード設定値に基づいてジョブを発行する（ステップＳ８１８）。これと並行して、ストレージ制御部２１０を介してストレージ２１１よりジョブ受付ページ（図８）のデータを読み出し、携帯電話１０２へ送信する（ステップＳ８１９）。携帯電話１０２は、これを受信して表示する（ステップＳ８２０）。
【００４０】
ユーザが携帯電話１０２でログオフを指示すると、画像処理装置１０１はログオフ処理として、ＲＡＭ２０３から遠隔操作ユーザＩＤを削除する（ステップＳ８２１）。
【００４１】
以上までが、遠隔操作時における画像処理装置１０１の処理手順である。尚、ステップＳ８２１においては、ログオフ処理と共に、表示制御部２１５を介してＬＥＤバックライト２１７を点灯しても良い。また、ステップＳ８１２からステップＳ８２１までの遠隔操作実行中の期間において、他のユーザが画像処理装置１０１のＬＣＤ２１８を参照した際に次のようにしてもよい。すなわち、スリープ状態ではなく遠隔操作中であるためにＬＥＤバックライト２１７が消灯されていることが分かるようにしてもよい。例えば、節電キー３０１に組み込まれたＬＥＤ２１６の点灯色を青色等、緑以外であってエラー等の予約色以外の色で点灯しても良い。また、節電キー３０１の押下によりＬＥＤバックライト２１７を点灯させると共に次の動作を行うようにしてもよい。図１０は、画像処理装置１０１の操作パネルの一状態を示す外観図である。すなわち、図１０のように、ＲＡＭ２０３に記憶されている遠隔操作ユーザＩＤのユーザＩＤに基づいて、画像処理装置１０１が、遠隔操作中であり、かつどのユーザが操作しているのか等の表示を行うよう構成しても良い。これらにより、遠隔操作中のユーザ以外のユーザの利便性を損うことなく省電力化を図ることが可能となっている。
【００４２】
また、画像処理装置１０１及び携帯電話１０２がブルートゥースによる通信を行うことが可能である場合には、次のようにする。すなわち、携帯電話１０２が無線ＬＡＮアクセスポイント１０４及びＬＡＮ１０３を介して、画像処理装置１０１と通信を行っている際にブルートゥースによる通信を確立する。そして、画像処理装置１０１は、表示制御部２１５を介してＬＣＤバックライト２１７を点灯するよう構成しても良い。加えて、画像処理装置１０１が節電状態にある時に、携帯電話１０２から遠隔操作用ウェブページにアクセスされた場合には、ジョブ実行のため画像処理装置１０１は通常状態（例えば、標準の待機状態）に復帰する必要がある。その際においても、ＬＣＤバックライト２１７の消灯は継続するよう構成しても良い。
【００４３】
ここで、ユーザが画像処理装置１０１へ向かって移動しながら、携帯電話１０２で遠隔操作し、モード設定操作の途中で画像処理装置の前まで到着したとき等、外部機器による遠隔操作から、画像処理装置本体での操作に切り換えたい場合がある。これは外部機器が携帯機器である場合等、そのコンパクトさから表示部が小さく操作性に優れない等の理由によるものである。また、同様の理由により、プレビュー内容を画像処理装置本体のＬＣＤ２１８で参照したい場合もある。これらの場合、ユーザへの利便性の面から考えて、外部機器から画像処理装置への操作手段の切換がシームレスに行われる必要がある。本発明はこの点についても鑑みており、以下で図を参照しながら説明する。
【００４４】
図１１は、図７で示したボックスプリントページの下部の画面例を示した画面例を示す図である。ボックスプリントページの下部は、画面をスクロールさせることにより表示可能である。
【００４５】
操作切換ボタン１１０１を押下すると、画像処理装置１０１のＬＣＤバックライト２１７が点灯され、携帯電話１０２上で設定した内容が、画像処理装置１０１のＬＣＤ２１８上で復元されて表示される。
【００４６】
また、本体プレビューボタンを押下すると、携帯電話１０２にはボックスプリントページ（図７）が表示される。この時、画像処理装置１０１では、ＬＣＤバックライト２１７が点灯され、携帯電話１０２上で設定したモード設定に基づいて、画像処理装置１０１のＬＣＤ２１８にプレビュー画面（不図示）が表示される。プレビュー画面上には閉じるキーが表示されており、タッチパネルによりこのキーを押下すると、再びＬＣＤバックライト２１７は消灯される。
【００４７】
次に、操作切換ボタン１１０１の押下時及び本体プレビューボタン１１０２の押下時の処理手順を図１２及び図１３を参照しながらそれぞれ説明する。すなわち、図１２及び図１３は、本発明の実施例１における処理手順を説明するためのフローチャートである。両手順とも、遠隔操作の開始からボックスプリントページ（図７）の表示までの処理手順は図９のステップＳ８０１からステップＳ８１５までの処理内容と同様であるため説明を省略し、図９のステップＳ８１５から説明する。
【００４８】
まず、操作切換ボタン１１０１の押下時における処理手順であるが、図１２において、ボックスプリントページ（図７）が表示された（ステップＳ１２０１）後で、ユーザにより操作切換の指示が成される。これにより、携帯電話１０２は、画像処理装置１０１に、それまでに成されたモード設定値を一括で送信し、同時に操作切換指示を表すフラグである操作切換指示フラグを送信する（ステップＳ１２０２）。
【００４９】
画像処理装置１０１は、操作切換フラグを受信すると、まずＬＣＤバックライト２１７が消灯しているか、表示制御部２１５に問合せ確認する（ステップＳ１２０３）。
【００５０】
その結果、消灯している場合には、ＬＣＤバックライト２１７を点灯させる（ステップＳ１２０４）。次に、操作切換フラグと同時に受信したモード設定値を基づいて、ＬＣＤ２１８に表示する内容を構成し表示する（ステップＳ１２０５）。
【００５１】
次に、画像処理装置１０１は、遠隔操作から本体操作へのログオンの切換処理として、ＲＡＭ２０３に記憶している遠隔操作ユーザＩＤを読み出し、ＲＡＭ２０３に本体操作ユーザＩＤとして記憶する。これと共に、ＲＡＭ２０３から遠隔操作ユーザＩＤを消去する（ステップＳ１２０６）。これにより携帯電話１０２からの遠隔操作が終了し（ステップＳ１２０７）、以降ユーザは画像処理装置１０１の操作パネル２１９にて操作を継続する。
【００５２】
また、本体プレビューボタン１１０２押下時の処理手順についてであるが、図１３において、ボックスプリントページ（図７）が表示された（ステップＳ１３０１）後で、ユーザにより本体プレビューの指示が成される。これにより、携帯電話１０２は、画像処理装置１０１に、それまでに成されたモード設定値を一括で送信し、同時に本体プレビュー指示を表すフラグである本体プレビュー指示フラグを送信する（ステップＳ１３０２）。
【００５３】
画像処理装置１０１は、本体プレビュー指示フラグを受信すると、ストレージ制御部２１１を介しストレージ２１０よりボックスプリントページ（図７）のデータを読み出す（ステップＳ１３０３）。受信したモード設定値に従ってボックスプリントページの表示内容を初期化し、携帯電話１０２へ送信する（ステップＳ１３０４）。携帯電話１０２はこれを受信し表示する（ステップＳ１３０１）。
【００５４】
ステップＳ１３０３及びステップＳ１３０４の処理に並行して、画像処理装置１０１はＬＣＤバックライト２１７を消灯しているか、表示制御部２１５に問合せ確認する（ステップＳ１３０５）。その結果、消灯している場合には、表示制御部２１５を介してＬＣＤバックライト２１７を点灯させる（ステップＳ１３０６）。続いて、ＣＰＵ２０１は受信したモード設定値に従ってプレビュー画像を生成し（Ｓ１３０７）、表示制御部２１５を介してＬＣＤ２１８に表示する（Ｓ１３０８）。ユーザによりＬＣＤ２１８に表示されているプレビュー画面の閉じるキーが指示された場合には、表示制御部２１５を介してＬＣＤバックライト２１７を消灯し（Ｓ１３０９）、プレビューを終了する。尚、ユーザは携帯電話１０２での遠隔操作を継続する。
【００５５】
上述したように、遠隔操作時に画像処理装置の表示部の電源を遮断していても、必要に応じて電源を投入することで、ユーザがボタン押し等の動作を行うことなく適切に表示部の電源を投入し、表示内容を参照することができる。
【００５６】
＜実施例２＞
上記実施例１では、外部機器として携帯電話を使用し、画像処理装置が提供するＷｅｂサーバ機能を介しての遠隔操作時における表示部の電源制御について説明した。実施例２では、外部機器としてＰＤＡを使用し、赤外線通信によって画像処理装置を遠隔操作する際の表示部の電源制御について説明する。
【００５７】
図１４は、実施例２に係る画像処理装置１４０１と外部機器としてのＰＤＡ１４０２とを含む画像処理システム全体の構成図である。尚、画像処理装置１４０１とＰＤＡ１４０２は赤外線により通信を行う。また、画像処理装置１４０１は（第１の実施例とは異なり）ユーザ管理されていない。また、画像処理装置１４０１は、一定時間の間、操作パネルから何も入力操作が成されない場合には、それまでに成された入力操作を破棄し、標準状態（例えば、標準の待機状態）に戻すオートクリア機能を有している。
【００５８】
図１５は、画像処理装置１４０１の構成を示すブロック図である。これは、図２に示した画像処理装置１０１の構成と類似点が多いため、ここでは差異部分についてのみ説明する。
【００５９】
赤外線ＬＥＤ制御部１５０１は、赤外線ＬＥＤ１５０２の駆動動作を制御し、赤外線通信におけるデータ送出を制御する。赤外線検出制御部１５０３は、ＰＤ（フォトダイオード）１５０４が受光した赤外線信号を電気信号として検出し、赤外線通信におけるデータ受信を制御する。赤外線ＬＥＤ制御部１５０１及び赤外線ＬＥＤ１５０２、赤外線検出制御部１５０３、ＰＤ１５０４から赤外線送受信部１５０５を構成する。
【００６０】
画像処理装置１４０１の操作パネル２１９の概観は、図３に示した画像処理装置１０１の操作パネル２１９の概観と同様である。また、ＰＤＡ１４０２に表示される画面の表示画面例は、図５及び図６、図７、図８に示したものと同様とする。但し、ここでは、ＰＤＡ１４０２上では遠隔操作用のプログラムが動作し、これらの画面はこのプログラムが提供するものである。また、図６におけるログオフボタン６０２及び図８におけるログオフボタン８０３は、それぞれ“終了”の表示が成されている終了ボタン６０２及び終了ボタン８０３である。
【００６１】
上述した図を参照しつつ、実施例２での実施形態の特徴を成すユーザ操作について説明する。ＰＤＡ１４０２において、遠隔操作用プログラムを起動すると、メニューページ（図６）が表示される。但し、他のユーザが画像処理装置１４０１の遠隔操作或いは本体操作を行っている場合には、使用中ページ（図５）が表示され以降の操作は不可能となる。
【００６２】
メニューページ（図６）におけるユーザ操作は実施例１の場合と同様であるが、終了ボタン６０２を押下した場合には、ＰＤＡ１４０２上で動作中の遠隔操作用プログラムが終了する。メニューページ（図６）から遷移するボックスプリントページ（図７）におけるユーザ操作は実施例１の場合と同様である。ボックスプリントページ（図７）から遷移するジョブ受付ページ（図８）におけるユーザ操作は実施例１の場合と同様であるが、終了ボタン８０３を押下した場合には、ＰＤＡ１４０２上で動作中の遠隔操作用プログラムが終了する。
【００６３】
次に、上述のユーザ操作を例に画像処理装置１４０１の処理手順について図を参照しながら説明する。図１６は、ＰＤＡ１４０２より画像処理装置１４０１の遠隔操作を行った場合の処理手順を説明するためのフローチャートである。
【００６４】
まず、ユーザはＰＤＡ１４０２で、画像処理装置１４０１の遠隔操作用プログラムを起動する（ステップＳ１６０１）。画像処理装置１４０１は、赤外線検出制御部１５０３がＰＤＡ１４０２からの赤外線通信を検出すると、他のユーザによる使用有無を確認する（ステップＳ１６０２）。画像処理装置１４０１が他の外部機器と赤外線通信中である場合、或いは以下の条件に合致する場合には、他のユーザによる使用があるとして判断する。画像処理装置１４０１は、前回オートクリア機能を実行した時刻を時刻１として、ユーザが最後に操作パネルから操作を行った時刻を時刻２としてＲＡＭ２０３に記憶しておく。ステップＳ１６０２では、時刻１及び時刻２をＲＡＭ２０３より読み出し、時刻１が時刻２よりも以前であった場合には、他のユーザによる使用があると判断する。
【００６５】
その結果、ステップＳ１６０２で他のユーザによる使用があると判断された場合（Ｙｅｓ）には、ＰＤＡ１４０２は使用中ページを表示して（ステップＳ１６０３）、遠隔操作を終了する（ステップＳ１６１３）。一方、他のユーザによる使用がないと判断された場合（Ｎｏ）には、画像処理装置１４０１はＬＥＤバックライト２１７を消灯する。また、ＰＤＡ１４０２はメニューページ（図６）を表示する（Ｓ１６０４）。
【００６６】
ユーザによりボックスプリントリンク６０１が選択されると、ＰＤＡ１４０２はボックスプリントページ（図７）を表示する。ボックスプリントページ（図７）において、ユーザによりモード設定が成されると、ＰＤＡ１４０２は、その都度モード設定値を画像処理装置１４０１に送信する（ステップＳ１６０６）。画像処理装置１４０１では、受信したモード設定値をＲＡＭ２０３に一時的に記憶しておく（ステップＳ１６０７）。また、ボックスプリントページ（図７）において、スタートボタン７０１が押下された場合には、ＰＤＡ１４０２は、スタート指示を表すフラグであるスタート指示フラグを送信する（ステップＳ１６０８）。
【００６７】
画像処理装置１４０１は、スタート指示フラグの受信をもって、ジョブの受け付けとし（ステップＳ１６０９）、ＲＡＭ２０３に記憶しておいたモード設定値を読み出す。そして、読み出したモード設定値を基づいてジョブを発行する（ステップＳ１６１０）。またこの時、ＰＤＡ１４０２ではジョブ受付ページ（図８）を表示する（ステップＳ１６１１）。
【００６８】
ジョブ受付ページ（図８）において、ユーザにより終了ボタン８０３が押下された場合には、画像処理装置１４０１は、ＲＡＭ２０３に一時的に記憶していたモード設定値を消去する。ＰＤＡ１４０２は、遠隔操作用プログラムを終了し、遠隔操作を終了する。
【００６９】
次に、実施例１において説明した本体への操作手段の切換及び本体でのプレビュー表示について、本実施例においても以下で説明する。尚、ユーザ操作については、前述した実施例１と同様とする。
【００７０】
操作切換ボタン１１０１の押下時及び本体プレビューボタン１１０２の押下時の処理手順を図１７及び図１８を参照しながらそれぞれ説明する。図１７及び図１８は、本発明の実施例２における処理手順を説明するためのフローチャートである。両手順とも遠隔操作の開始からボックスプリントページ（図７）の表示までの処理手順は図１６のステップＳ１６０１からステップＳ１６０５までのステップと同様である。したがって、細部の説明は省略し、図１６のステップＳ１６０５から説明する。
【００７１】
まず、操作切換ボタン１１０１押下時における処理手順であるが、図１７において、ボックスプリントページ（図７）が表示された（ステップＳ１７０１）後で、ユーザにより操作切換の指示が成される。これにより、ＰＤＡ１４０２は、画像処理装置１４０１に、操作切換指示を表すフラグである操作切換指示フラグを送信する（ステップＳ１７０２）。
【００７２】
画像処理装置１４０１は、操作切換フラグを受信すると、まずＬＣＤバックライト２１７が消灯しているか、表示制御部２１５に問合せ確認する（ステップＳ１７０３）。その結果、消灯している場合（Ｙｅｓ）は、ＬＣＤバックライト２１７を点灯させる（ステップＳ１７０４）。次に、ＲＡＭ２０３より、ＰＤＡ１４０２よりそれまでの操作結果として受信していたモード設定値を読み出し、これを基にＬＣＤ２１８に表示する内容を構成し表示する（ステップＳ１７０５）。次に、画像処理装置１４０１は、ＲＡＭ２０３に一時的に記憶しているモード設定値を消去する（ステップＳ１７０６）。ＰＤＡ１４０２は、遠隔操作用プログラムを終了し、遠隔操作を終了する（ステップＳ１７０７）。以降、ユーザは、画像処理装置１０１の操作パネル２１９にて操作を継続する。
【００７３】
また、本体プレビューボタン１１０２押下時の処理手順についてであるが、図１８において、ボックスプリントページ（図７）が表示された（ステップＳ１８０１）後で、ユーザにより本体プレビューの指示が成される。これにより、ＰＤＡ１４０２は、画像処理装置１４０１に、本体プレビュー指示を表すフラグである本体プレビュー指示フラグを送信する（ステップＳ１８０２）。
【００７４】
画像処理装置１４０１は、本体プレビュー指示フラグを受信すると、ＬＣＤバックライト２１７を消灯しているか、表示制御部２１５に問合せ確認する（ステップＳ１８０３）。消灯している場合（Ｙｅｓ）には、表示制御部２１５を介してＬＣＤバックライト２１７を点灯させる（ステップＳ１８０４）。次に、ＲＡＭ２０３より、ＰＤＡ１４０２よりそれまでの操作結果として受信していたモード設定値を読み出し、これを基にＣＰＵ２０１は受信したモード設定値に従ってプレビュー画像を生成する（ステップＳ１８０５）。そして、表示制御部２１５を介してＬＣＤ２１８に表示する（ステップＳ１８０６）。そして、ユーザによりＬＣＤ２１８に表示されているプレビュー画面の閉じるキーが指示された場合には、表示制御部２１５を介してＬＣＤバックライト２１７を消灯し（ステップＳ１８０７）、プレビューを終了する（ステップＳ１８０８）。尚、ユーザはＰＤＡ１４０２での遠隔操作を継続する。
【００７５】
上述したように、遠隔操作を行う外部機器の種別や、画像処理装置と外部機器の通信手段によらず、本発明はさまざまな構成に適用することができる。
【００７６】
また、上述した実施例１及び実施例２においては、被遠隔操作対象である機器として画像処理装置を例に説明したが、本発明は他の情報処理装置についても適用することができる。そして、同様にユーザの利便性を損うことなく、省電力化の効果を発揮することが可能である。
【００７７】
＜その他の実施形態＞
以上、実施形態例を詳述したが、本発明は、例えば、システム、装置、方法、プログラム若しくは記憶媒体（記録媒体）等としての実施態様をとることが可能である。具体的には、複数の機器から構成されるシステムに適用しても良いし、また、一つの機器からなる装置に適用しても良い。
【００７８】
尚、本発明は、前述した実施形態の機能を実現するソフトウェアのプログラム（実施形態では図に示すフローチャートに対応したプログラム）を、システムあるいは装置に直接あるいは遠隔から供給する。そして、そのシステムあるいは装置のコンピュータが該供給されたプログラムコードを読み出して実行することによっても達成される場合を含む。
【００７９】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００８０】
その場合、プログラムの機能を有していれば、オブジェクトコード、インタプリタにより実行されるプログラム、ＯＳに供給するスクリプトデータ等の形態であっても良い。
【００８１】
プログラムを供給するための記録媒体としては、例えば、以下のようなものがある。フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）。
【００８２】
その他、プログラムの供給方法としては、クライアントコンピュータのブラウザを用いてインターネットのウェブページからハードディスク等の記録媒体にダウンロードすることによっても供給できる。すなわち、ウェブページに接続し、該ウェブページから本発明のコンピュータプログラムそのもの、もしくは圧縮され自動インストール機能を含むファイルをダウンロードする。また、本発明のプログラムを構成するプログラムコードを複数のファイルに分割し、それぞれのファイルを異なるウェブページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００８３】
また、本発明のプログラムを暗号化してＣＤ−ＲＯＭ等の記憶媒体に格納してユーザに配布する。そして、所定の条件をクリアしたユーザに対し、インターネットを介してウェブページから暗号化を解く鍵情報をダウンロードさせる。そして、その鍵情報を使用することにより暗号化されたプログラムを実行してコンピュータにインストールさせて実現することも可能である。
【００８４】
また、コンピュータが、読み出したプログラムを実行することによって、前述した実施形態の機能が実現される。その他にも、そのプログラムの指示に基づき、コンピュータ上で稼動しているＯＳなどが、実際の処理の一部または全部を行い、その処理によっても前述した実施形態の機能が実現され得る。
【００８５】
さらに、記録媒体から読み出されたプログラムが、コンピュータに挿入された機能拡張ボードやコンピュータに接続された機能拡張ユニットに備わるメモリに書き込まれた後にも前述した実施形態の機能が実現される。すなわち、そのプログラムの指示に基づき、その機能拡張ボードや機能拡張ユニットに備わるＣＰＵなどが実際の処理の一部または全部を行うことによっても前述した実施形態の機能が実現される。
【図面の簡単な説明】
【００８６】
【図１】本発明の実施例１に係る画像処理装置１０１と外部機器とを含む画像処理システム全体構成を示す概要図である。
【図２】本発明の実施例１に係る画像処理装置１０１のシステム構成を示すブロック図である。
【図３】画像処理装置１０１の操作部である操作パネル２１９の構成を示す概観図である。
【図４】、
【図５】、
【図６】、
【図７】、
【図８】携帯電話１０２よりＬＡＮ１０３を介して画像処理装置１０１にアクセスし、Ｗｅｂサーバ制御部２０９が提供する遠隔操作用ウェブページから画像処理装置１０１の遠隔操作を行う際の携帯電話１０２の表示画面例を示す図である。
【図９】携帯電話１０２より画像処理装置１０１のＷｅｂサーバ制御部２０９を介して画像処理装置１０１の遠隔操作を行った場合の処理手順を説明するためのフローチャートである。
【図１０】画像処理装置１０１の操作パネルの一状態を示す外観図である。
【図１１】図７で示したボックスプリントページの下部の画面例を示した画面例を示す図である。
【図１２】本発明の実施例１における処理手順を説明するためのフローチャートである。
【図１３】本発明の実施例１における処理手順を説明するためのフローチャートである。
【図１４】実施例２に係る画像処理装置１４０１と外部機器としてのＰＤＡ１４０２とを含む画像処理システム全体の構成図である。
【図１５】画像処理装置１４０１の構成を示すブロック図である。
【図１６】ＰＤＡ１４０２より画像処理装置１４０１の遠隔操作を行った場合の処理手順を説明するためのフローチャートである。
【図１７】本発明の実施例２における処理手順を説明するためのフローチャートである。
【図１８】本発明の実施例２における処理手順を説明するためのフローチャートである。
【符号の説明】
【００８７】
１０１  画像処理装置
１０２  携帯電話
１０３  ＬＡＮ（ネットワーク）
１０４  無線ＬＡＮアクセスポイント
２０１  ＣＰＵ
２０２  バス
２０３  ＲＡＭ
２０４  プリンタ制御部
２０５  プリンタデバス
２０６  スキャナ制御部
２０７  スキャナデバイス
２０８  ネットワーク制御部
２０９  Ｗｅｂサーバ制御部
２１０  ストレージ制御部
２１１  ストレージ
２１２  入力制御部
２１３  キー群
２１４  タッチパネル
２１５  表示制御部
２１６  ＬＥＤ
２１７  ＬＣＤバックライト
２１８  ＬＣＤ
２１９  操作パネル
１５０１  赤外線ＬＥＤ制御部
１５０２  赤外線ＬＥＤ
１５０３  赤外線検出制御部
１５０４  ＰＤ
１５０５  赤外線送受信部
【図１】
2007159057.tif 000003
【図２】
2007159057.tif 000004
【図３】
2007159057.tif 000005
【図４】
2007159057.tif 000006
【図５】
2007159057.tif 000007
【図６】
2007159057.tif 000008
【図７】
2007159057.tif 000009
【図８】
2007159057.tif 000010
【図９】
2007159057.tif 000011
【図１０】
2007159057.tif 000012
【図１１】
2007159057.tif 000013
【図１２】
2007159057.tif 000014
【図１３】
2007159057.tif 000015
【図１４】
2007159057.tif 000016
【図１５】
2007159057.tif 000017
【図１６】
2007159057.tif 000018
【図１７】
2007159057.tif 000019
【図１８】
2007159057.tif 000020